【事件の表示】
　特願２０１４−　３８３６９号「遊技機」拒絶査定不服審判事件〔平成２７年　９月　７日出願公開、特開２０１５−１６００７０号〕について、次のとおり審決する。
【結　論】
　本件審判の請求は、成り立たない。
【理　由】
第１　手続の経緯
　本願は、平成２６年２月２８日の出願であって、平成２７年４月２８日付けで拒絶理由通知がなされ、平成２７年６月１７日付けで意見書及び手続補正が提出されたが、平成２７年１０月２６日付け（発送日：平成２７年１１月４日）で拒絶査定がなされ、これに対し平成２８年２月４日付けで拒絶査定不服審判の請求がなされるとともに手続補正がなされたものである。
第２　平成２８年２月４日付けの手続補正についての補正却下の決定
［補正却下の決定の結論］
　平成２８年２月４日付けの手続補正を却下する。
［理由］
１　補正の概要
　平成２８年２月４日付けの手続補正（以下、「本件補正」という。）は、特許請求の範囲の請求項１の記載の補正を含む補正であり、特許請求の範囲の請求項１は、
　補正前（平成２７年６月１７日付け手続補正）の
「【請求項１】
　始動条件の成立により判定情報を取得する判定情報取得手段と、
　前記判定情報取得手段により取得された前記判定情報に基づいて、特別遊技を行うか否かを判定する特別遊技判定手段と、
　前記特別遊技判定手段による判定結果に基づいて、当該判定結果を報知する結果報知演出を実行する前に、前記特別遊技が行われる可能性を示唆する示唆演出を実行する演出制御手段と、
　前記示唆演出に関する示唆情報を外部端末に出力する示唆情報出力制御手段とを備え、
　前記示唆情報出力制御手段は、
　　前記演出制御手段により前記示唆演出が開始されるよりも前に、前記示唆情報の出力を開始し、当該示唆演出が開始されるまでに当該示唆情報の出力を終了する、遊技機。」
から、
　補正後（本件補正：平成２８年２月４日付けの手続補正）の
「【請求項１】
Ａ　始動条件の成立により判定情報を取得する判定情報取得手段と、
Ｂ　前記判定情報取得手段により取得された前記判定情報に基づいて、特別遊技を行うか否かを判定する特別遊技判定手段と、
Ｃ　前記特別遊技判定手段による判定結果に基づいて
前記特別遊技が行われることを期待させる複数の期待演出の中からいずれかを実行し、前記
期待演出の信頼度
Ｄ　
前記期待演出に対応付けられ、当該期待演出の信頼度を示す
Ｅ　前記示唆情報出力制御手段は、
　　
前記期待演出が実行されているときに、実行中の当該期待演出に対応付けられて互いに異なる信頼度を示唆する複数の前記示唆情報の中からいずれかを出力可能であり、
Ｆ　
前記期待演出が実行されているときの第１タイミングにおいて
第２タイミング
し、
　　
前記演出制御手段は、
　　
前記第２タイミング以降の第３タイミングにおいて前記示唆演出を開始する、
へ補正された（下線部は補正箇所を示す。記号Ａ〜Ｆは分説するため当審にて付した。）。
２　補正の適否
（１）補正の目的
　本件補正のうち、「示唆情報」が「示唆演出に関する」との記載を削除した補正事項について検討する。
　まず、当該「示唆演出に関する」との記載は誤記でも不明瞭でもないので、当該補正事項は、誤記の訂正及び明瞭でない記載の釈明のいずれを目的とするものとも認められない。
　また、当該補正事項は、特許請求の範囲を拡張しているので、特許請求の範囲の減縮を目的とするものとも認められない。
（２）小括
　したがって、本件補正における上記以外の補正事項について検討するまでもなく、本件補正は、特許法第１７条の２第５項の規定に違反するので、同法第１５９条第１項の規定において準用する同法第５３条第１項の規定により却下すべきものである。
３　独立特許要件
　上記のとおり、本件補正は却下すべきものであるが、仮に、本件補正が特許請求の範囲の減縮を目的とするものであって、特許法第１７条の２第５項の規定に適合するものとし、本件補正後の発明（以下、「本件補正発明」という。）が独立して特許を受けることができるか否か（特許法第１７の２第６項において準用する同法第１２６条第７項の規定に適合するか否か）について以下に補足的に検討する。
（１）本件補正発明
　本件補正発明は、上記１に記載したとおりのものである。
（２）刊行物
　本願の出願前に頒布された刊行物である特開２００８−２３７３２８号公報（以下、「刊行物１」という。）には、図面と共に次の事項が記載されている（下線は当審にて付した。以下、同じ。）。
ア　「【０００１】
　本発明は、ぱちんこ遊技機等の弾球
遊技機
イ　「【０００５】
　上記課題を解決するために、本発明のある態様の弾球遊技機は、遊技領域が形成された遊技盤と、遊技領域の所定位置に設けられ、遊技球が入球可能な始動口と、始動口への入球を契機として所定の条件が満たされたときに、通常遊技状態よりも遊技者に有利となる遊技である特別遊技を実行する特別遊技制御手段と、演出内容を表示する演出表示装置と、演出表示装置に表示させる演出内容が定義された演出パターンを複数保持するパターン記憶手段と、保持された複数の演出パターンから、演出表示装置に表示させるべき演出パターンを選択する演出決定手段と、
選択された演出パターンにしたがった演出内容を演出表示装置に表示させる演出表示制御手段
・・・
【０００９】
　本発明のある態様の弾球遊技機は、遊技領域の所定位置に設けられ、遊技球の受け入れ状態が遊技者に有利な状態に変化可能な可変入球装置と、始動口へ遊技球が入球したことを契機として、当否抽選を実行する当否抽選手段と、当否抽選の結果が図柄変動の態様で表示される特別図柄表示装置と、当否抽選の結果を示す特別図柄を特別図柄表示装置にて変動表示させる特図制御手段と、をさらに備えてもよい。特別遊技制御手段は、当否抽選の結果が当たりであったときに、可変入球装置の受け入れ状態を遊技者に有利な状態へ変化させることにより特別遊技を実行し、パターン記憶手段は、
演出パターンとして、当否抽選の結果を示す当否演出が表示されると共に、当否演出により当否抽選の結果が示される前に、当否抽選の結果が当たりか否かを示唆する表示内容を符号化した符号化画像が表示される特殊演出パターン
ウ　「【００３０】
　第１の実施例における
メイン基板１０２は、
当否抽選手段１１２
を備える。
サブ基板１０４は、
演出決定手段１３２
を備える。
・・・
【００３２】
　
当否抽選手段１１２は、始動口６２への遊技球の入球を契機として、通常遊技より遊技者に有利な状態である特別遊技へ移行するか否かを判定するために乱数の値を当否抽選値として取得する。
エ　「【００４４】
　第１の実施例に係るぱちんこ遊技機１０では、パターン記憶手段１３０は、撮像して所定の復号処理を実施することで復元可能な形式で符号化した符号化画像である二次元コードを演出表示装置６０に表示させる特殊演出パターン、およびそのような二次元コードを表示させない通常の演出パターンを保持する。なお、パターン記憶手段１３０が二次元コード以外の符号化画像を表示する特殊演出パターンを保持していてもよいことは勿論である。これらの特殊演出パターンには、演出表示装置６０に表示されるとき、例えば図４に示すように、「ケータイで撮ってね！」など、二次元コードの撮像を促すメッセージの表示も含められている。演出決定手段１３２によって特殊演出パターンが選択された場合、
演出表示制御手段１３４は、
装飾図柄１９０の上方に、二次元コードを撮像し復号処理を実施可能な携帯電話などの撮像手段により撮像可能な態様で、二次元コードを演出表示装置６０に表示させる。
オ　「【００５４】
　図１１は、図１０におけるＳ３４の当否判定処理を詳細に示すフローチャートである。当否判定処理において、
演出決定手段１３２は、当否抽選値を利用して、当否抽選の結果が当たりか否かを判定する
当否抽選の結果が当たりの場合
、演出決定手段１３２は、当たり時演出パターン決定処理を実施する
当否抽選の結果が外れの場合
、演出決定手段１３２は、外れ時演出パターン決定処理を実施する
【００５５】
　図１２は、図１１におけるＳ１０２の当たり時演出パターン決定処理を詳細に示すフローチャートである。
当たり時演出パターン決定処理において、演出決定手段１３２は、演出パターンを決定するために新たにランダムな抽選値を取得する演出決定抽選を実施し、取得した演出決定抽選値が所定範囲内の値か否かを判定することにより、携帯電話にミッションを提示させる演出パターンを選択すべきか否かを判定する
【００５６】
　
ミッションを提示させる場合
、当否抽選の結果が当たりであるため、演出決定手段１３２は、ミッションを達成させる第１特殊演出パターンを選択する
演出決定手段１３２は、「雪を降らせろ！」というミッションを符号化した二次元コードを表示させる場合、
二次元コードを表示させた後、演出表示装置６０に雪が降る演出内容も表示させ
第１特殊演出パターンを選択する。
雪が降る演出が表示されたのを見たときに、装飾図柄１９０の変動停止を待つことなく当否抽選の結果が当たりであることを知ることができる。
【００５７】
　
ミッションを提示させない場合（Ｓ１１０のＮ）、演出決定手段１３２は、取得した演出決定抽選値が別の所定範囲内の値か否かを判定することにより、携帯電話に当否抽選の結果を表示させる演出パターンを選択すべきか否かを判定する
当否抽選の結果を表示させる場合
、演出決定手段１３２は、例えば「大当たり！」のテキスト情報を符号化した二次元コードを、装飾図柄１９０の変動停止前に表示させる、当たり用の第２特殊演出パターンを選択する
【００５８】
　
当否を表示させない場合
、演出決定手段１３２は、取得した演出決定抽選値がまた別の所定範囲内の値か否かを判定することにより、携帯電話に信頼度を表示させる演出パターンを選択すべきか否かを判定する
信頼度を表示させる場合（Ｓ１１８のＹ）、演出決定手段１３２は、第３特殊演出パターンを選択する
【００５９】
　ここで、パターン記憶手段１３０には、信頼度を示唆する複数の演出内容を演出表示装置６０に表示させる複数種類の第３特殊演出パターンが保持されている。
演出決定手段１３２は、信頼度が高い演出内容を表示させる第３特殊演出パターンほど、当否抽選の結果が当たりであったときに高い確率で選択することにより、演出表示装置６０に表示される演出内容が示唆する信頼度に差を持たせている。
第３特殊演出パターンのうち、信頼度が高い演出内容を表示させる第３特殊演出パターンには、例えば「激アツ！」のテキスト情報を符号化した二次元コードの表示が含められており、信頼度が中程度の演出内容を表示させる第３特殊演出パターンには、例えば「アツイ！」のテキスト情報を符号化した二次元コードの表示が含められている。
第３特殊演出パターンには、表示させる演出内容と関連する表示内容を符号化した二次元コードの表示が含めら
演出表示装置６０に雪が降る演出が表示されたときは信頼度が高く、雨が降る演出が表示されたときは信頼度が中程度
信頼度を表示させるための二次元コード
カ　「【００６３】
　図１３は、図１１におけるＳ１０４の外れ時演出パターン決定処理を詳細に示すフローチャートである。
外れ時演出パターン決定処理において、演出決定手段１３２は、演出パターンを決定するために新たにランダムな抽選値を取得する演出決定抽選を実施し、取得した演出決定抽選値が所定範囲内の値か否かを判定することにより、携帯電話にミッションを提示させる演出パターンを選択すべきか否かを判定する
ミッションを提示させる場合
、当否抽選の結果が外れであることから、演出決定手段１３２は、ミッションを達成させない第１特殊演出パターンを選択する
【００６４】
　
ミッションを提示させない場合
、演出決定手段１３２は、取得した演出決定抽選値が別の所定範囲内の値か否かを判定することにより、携帯電話に当否抽選の結果を表示させる演出パターンを選択すべきか否かを判定する
当否抽選の結果を表示させる場合（Ｓ１４４のＹ）、演出決定手段１３２は、例えば「残念！ハズレ！」のテキスト情報を符号化した二次元コードを、装飾図柄１９０の変動停止前に表示させる、外れ用の第２特殊演出パターンを選択する
【００６５】
　
当否抽選の結果を表示させない場合
、演出決定手段１３２は取得した演出決定抽選値がまた別の所定範囲内の値か否かを判定することにより、携帯電話に信頼度を表示させる演出パターンを選択すべきか否かを判定する
信頼度を表示させる場合
、演出決定手段１３２は、第３特殊演出パターンを選択する
キ　上記オの【００５４】の「
演出決定手段１３２は、当否抽選値を利用して、当否抽選の結果が当たりか否かを判定する
当否抽選の結果が当たりの場合
当たり時演出パターン決定処理を実施する
当否抽選の結果が外れの場合
外れ時演出パターン決定処理を実施する
当たり時演出パターン決定処理において、
取得した演出決定抽選値が所定範囲内の値か否かを判定することにより、
第１特殊演出パターンを選択する
取得した演出決定抽選値が別の所定範囲内の値か否かを判定することにより、
第２特殊演出パターンを選択する
取得した演出決定抽選値がまた別の所定範囲内の値か否かを判定することにより、
第３特殊演出パターンを選択する
外れ時演出パターン決定処理において、
取得した演出決定抽選値が所定範囲内の値か否かを判定することにより、
第１特殊演出パターンを選択する
取得した演出決定抽選値が別の所定範囲内の値か否かを判定することにより、
第２特殊演出パターンを選択する
取得した演出決定抽選値がまた別の所定範囲内の値か否かを判定することにより、
第３特殊演出パターンを選択する
　刊行物１には、「当否抽選値を利用して、当否抽選の結果が当たりか否かを判定し、当否抽選の結果が当たりの場合、当たり時演出パターン決定処理を実施し、当否抽選の結果が外れの場合、外れ時演出パターン決定処理を実施し、当たり時演出パターン決定処理において、取得した演出決定抽選値が所定範囲内の値か否かを判定することにより、第１特殊演出パターン、第２特殊演出パターン又は第３特殊演出パターンを選択し、外れ時演出パターン決定処理において、取得した演出決定抽選値が所定範囲内の値か否かを判定することにより、第１特殊演出パターン、第２特殊演出パターン又は第３特殊演出パターンを選択する」「演出決定手段１３２」が記載されているといえる。
　ここで、「当否抽選の結果が当たりか否かを判定」するのは「演出決定手段１３２」であり、その判定結果に基づいて、「当たり時演出パターン決定処理」と「外れ時演出パターン決定処理」のいずれかを実行し、さらに、当該「当たり時演出パターン決定処理」と「外れ時演出パターン決定処理」のいずれにおいても、第１特殊演出パターン、第２特殊演出パターン又は第３特殊演出パターンを選択するので、結局、刊行物１には、「
演出決定手段１３２による当否抽選の判定結果に基づいて、取得した演出決定抽選値が所定範囲内の値か否かを判定することにより、第１特殊演出パターン、第２特殊演出パターン又は第３特殊演出パターンを選択する演出決定手段１３２
ク　上記イの【０００９】の「演出パターンとして、
当否抽選の結果を示す当否演出が表示され
特殊演出パターン
第３特殊演出パターン
演出表示装置６０に表示される演出内容が示唆する信頼度に差を持たせている。
雪が降る演出が表示されたときは信頼度が高く、雨が降る演出が表示されたときは信頼度が中程度
第３特殊演出パターンでは、当否抽選の結果を示す当否演出が表示され、かつ、信頼度が高い雪が降る演出又は信頼度が中程度の雨が降る演出を表示する
　また、上記イの【０００５】には、「
選択された演出パターンにしたがった演出内容を演出表示装置に表示させる演出表示制御手段
　したがって、刊行物１には、「
選択された演出パターンにしたがった演出内容を演出表示装置に表示させ、第３特殊演出パターンでは、当否抽選の結果を示す当否演出を表示し、かつ、信頼度が高い雪が降る演出又は信頼度が中程度の雨が降る演出を表示する演出表示制御手段
ケ　上記オの【００５９】の「第３特殊演出パターンのうち、
信頼度が高い演出内容を表示させる第３特殊演出パターンには、例えば「激アツ！」のテキスト情報を符号化した二次元コードの表示が含められており、信頼度が中程度の演出内容を表示させる第３特殊演出パターンには、例えば「アツイ！」のテキスト情報を符号化した二次元コードの表示が含められている。
雪が降る演出が表示されたときは信頼度が高く、雨が降る演出が表示されたときは信頼度が中程度
信頼度が高い雪が降る演出を表示させる第３特殊演出パターンには、例えば「激アツ！」のテキスト情報を符号化した二次元コードの表示が含められており、信頼度が中程度の雨が降る演出を表示させる第３特殊演出パターンには、例えば「アツイ！」のテキスト情報を符号化した二次元コードの表示が含められている
コ　上記ア〜カの記載事項及び上記キ〜ケの認定事項から、刊行物１には次の発明（以下、「引用発明」という。）が記載されていると認められる（記号ａ〜ｆは本件補正発明の記号Ａ〜Ｆに対応させて付した。）。
「ａ　始動口６２への遊技球の入球を契機として、通常遊技より遊技者に有利な状態である特別遊技へ移行するか否かを判定するために乱数の値を当否抽選値として取得する当否抽選手段１１２と、（【００３２】）
ｂ　当否抽選値を利用して、当否抽選の結果が当たりか否かを判定する演出決定手段１３２と、（【００５４】）
ｃ　演出決定手段１３２による当否抽選の判定結果に基づいて、取得した演出決定抽選値が所定範囲内の値か否かを判定することにより、第１特殊演出パターン、第２特殊演出パターン又は第３特殊演出パターンを選択する演出決定手段１３２、及び選択された演出パターンにしたがった演出内容を演出表示装置に表示させ、第３特殊演出パターンでは、当否抽選の結果を示す当否演出を表示し、かつ、信頼度が高い雪が降る演出又は信頼度が中程度の雨が降る演出を表示する演出表示制御手段と、（認定事項キ、ク）
ｄ　第３特殊演出パターンには、表示させる演出内容と関連する表示内容を符号化した信頼度を表示させるための二次元コードの表示が含められ、装飾図柄１９０の上方に、二次元コードを撮像し復号処理を実施可能な携帯電話などの撮像手段により撮像可能な態様で、二次元コードを演出表示装置６０に表示させる演出表示制御手段１３４とを備え、（【００４４】、【００５９】）
ｅ　第３特殊演出パターンのうち、信頼度が高い演出内容を表示させる第３特殊演出パターンには、例えば「激アツ！」のテキスト情報を符号化した二次元コードの表示が含められており、信頼度が中程度の演出内容を表示させる第３特殊演出パターンには、例えば「アツイ！」のテキスト情報を符号化した二次元コードの表示が含められ、（【００５９】）
ｆ　信頼度が高い雪が降る演出を表示させる第３特殊演出パターンには、例えば「激アツ！」のテキスト情報を符号化した二次元コードの表示が含められており、信頼度が中程度の雨が降る演出を表示させる第３特殊演出パターンには、例えば「アツイ！」のテキスト情報を符号化した二次元コードの表示が含められている（認定事項ケ）
　遊技機。」
（３）対比・判断
　本件補正発明と引用発明とを対比する（対比にあたっては、本件補正発明の構成Ａ〜Ｆと引用発明の構成ａ〜ｆについて、それぞれ（ａ）〜（ｆ）の見出を付けて行った。）。
（ａ）引用発明の「始動口６２への遊技球の入球」、「当否抽選値」は、本件補正発明の「始動条件の成立」、「判定情報」にそれぞれ相当する。
　したがって、引用発明の「始動口６２への遊技球の入球を契機として、通常遊技より遊技者に有利な状態である特別遊技へ移行するか否かを判定するために乱数の値を当否抽選値として取得する当否抽選手段１１２」は、本件補正発明の「始動条件の成立により判定情報を取得する判定情報取得手段」に相当する。
（ｂ）引用発明の「当否抽選値」は、「通常遊技より遊技者に有利な状態である特別遊技へ移行するか否かを判定するため」の「乱数の値」である（引用発明の構成ａ参照）。
　したがって、引用発明の「当否抽選値を利用して、当否抽選の結果が当たりか否かを判定する演出決定手段１３２」は、本件補正発明の「前記判定情報取得手段により取得された前記判定情報に基づいて、特別遊技を行うか否かを判定する特別遊技判定手段」の機能を備えているといえる。
（ｃ）上記（ｂ）より、引用発明の「演出決定手段１３２」は、本件補正発明の「特別遊技判定手段」の機能を備えているので、引用発明の「演出決定手段１３２による当否抽選の判定結果に基づいて」は、本件補正発明の「前記特別遊技判定手段による判定結果に基づいて」に相当する。
　そうすると、引用発明の「第１特殊演出パターン」、「第２特殊演出パターン」及び「第３特殊演出パターン」は、前記特別遊技判定手段による判定結果に基づいて選択されるのであるから、これらの特殊演出パターンによる演出は、特別遊技が行われることを期待させるものといえるので、「第１特殊演出パターン」、「第２特殊演出パターン」及び「第３特殊演出パターン」による演出は、本件補正発明の「複数の期待演出」に相当する。
　次に、引用発明の「当否演出」は、本件補正発明の「結果報知演出」に相当することは明らかである。
　また、引用発明の「雪が降る演出」及び「雨が降る演出」は、信頼度が高いこと又は中程度であることを示し、当該「信頼度」とは、「第３特殊演出パターン」による演出において、特別遊技となる信頼度のことと解されるところ、本件補正発明の「期待演出の信頼度」も、当該期待演出において特別遊技となる信頼度のことと解されるので、引用発明の「雪が降る演出」及び「雨が降る演出」は、本件補正発明の期待演出の信頼度を示唆する「示唆演出」に相当する。
　ここで、引用発明において、「当否演出」は、当否抽選の結果を表すのであるから、この実行の前に、信頼度を示唆する「雪が降る演出」又は「雨が降る演出」が行われることは明らかである。
　さらに、引用発明では、「演出決定手段１３２」が選択した演出パターンにしたがった演出内容を「演出表示制御手段」が演出表示装置に表示するので、「演出決定手段１３２」及び「演出表示制御手段」が、本件補正発明の「演出制御手段」に相当するといえる。
　したがって、引用発明の「演出決定手段１３２による当否抽選の判定結果に基づいて、取得した演出決定抽選値が所定範囲内の値か否かを判定することにより、第１特殊演出パターン、第２特殊演出パターン又は第３特殊演出パターンを選択する演出決定手段１３２、及び選択された演出パターンにしたがった演出内容を演出表示装置に表示させ、第３特殊演出パターンでは、当否抽選の結果を示す当否演出を表示し、かつ、信頼度が高い雪が降る演出又は信頼度が中程度の雨が降る演出を表示する演出表示制御手段」は、本件補正発明の「前記特別遊技判定手段による判定結果に基づいて前記特別遊技が行われることを期待させる複数の期待演出の中からいずれかを実行し、前記判定結果を報知する結果報知演出を実行する前に、前記期待演出の信頼度を示唆する示唆演出を実行する演出制御手段」に相当する。
（ｄ）引用発明の「二次元コード」は、「第３特殊演出パターン」に含められ、「信頼度を表示させるため」のものであるので、本件補正発明の前記期待演出に対応付けられ、当該期待演出の信頼度を示す「示唆情報」に相当する。
　また、引用発明の「二次元コード」を「携帯電話などの撮像手段により撮像可能な態様で」「演出表示装置６０に表示させる」ことは、本件補正発明の「示唆情報を外部端末に出力する」ことに相当する。
　したがって、引用発明の「第３特殊演出パターンには、表示させる演出内容と関連する表示内容を符号化した信頼度を表示させるための二次元コードの表示が含められ、装飾図柄１９０の上方に、二次元コードを撮像し復号処理を実施可能な携帯電話などの撮像手段により撮像可能な態様で、二次元コードを演出表示装置６０に表示させる演出表示制御手段１３４」は、本件補正発明の「前記期待演出に対応付けられ、当該期待演出の信頼度を示す示唆情報を外部端末に出力する示唆情報出力制御手段」に相当する。
（ｅ）引用発明の第３特殊演出パターン（本件補正発明の「期待演出」に相当）は、信頼度が高いときに「激アツ！」のテキスト情報を符号化した二次元コードの表示を含み、信頼度が中程度のときに「アツイ！」のテキスト情報を符号化した二次元コードの表示を含むので、「第３特殊演出パターン」による演出が実行されているときに、「二次元コード」の表示がなされ、かつ、これらの「二次元コード」の表示が「第３特殊演出パターン」に対応付けられているといえる。
　また、これらの「二次元コード」が「演出表示制御手段１３４」により演出表示装置６０に表示されることは、引用発明の構成ｄより明らかである。
　したがって、引用発明の「第３特殊演出パターンのうち、信頼度が高い演出内容を表示させる第３特殊演出パターンには、例えば「激アツ！」のテキスト情報を符号化した二次元コードの表示が含められており、信頼度が中程度の演出内容を表示させる第３特殊演出パターンには、例えば「アツイ！」のテキスト情報を符号化した二次元コードの表示が含められ」ることは、本件補正発明の「前記示唆情報出力制御手段は、前記期待演出が実行されているときに、実行中の当該期待演出に対応付けられて互いに異なる信頼度を示唆する複数の前記示唆情報の中からいずれかを出力可能」であることに相当する。
（ｆ）引用発明の「第３特殊演出パターン」は、「雪が降る演出」と「激アツ！」のテキスト情報を符号化した「二次元コード」の表示を含むか、又は、「雨が降る演出」と「アツイ！」のテキスト情報を符号化した「二次元コード」の表示を含むものである。
　また、これらの表示が「演出表示制御手段１３４」により実行されることは、引用発明の構成ｃ、ｄより明らかである。
　したがって、引用発明の「信頼度が高い雪が降る演出を表示させる第３特殊演出パターンには、例えば「激アツ！」のテキスト情報を符号化した二次元コードの表示が含められており、信頼度が中程度の雨が降る演出を表示させる第３特殊演出パターンには、例えば「アツイ！」のテキスト情報を符号化した二次元コードの表示が含められている」と本件補正発明の「前記示唆情報出力制御手段は、前記期待演出が実行されているときの第１タイミングにおいて前記示唆情報の出力を開始し、第２タイミングまでに当該示唆情報の出力を終了し、前記演出制御手段は、前記第２タイミング以降の第３タイミングにおいて前記示唆演出を開始する」は、「前記示唆情報出力制御手段は、前記期待演出が実行されているとき、前記示唆情報の出力を実行し、前記演出制御手段は、前記示唆演出を実行する」点で共通している。
　以上より、引用発明と本件補正発明とは、次の点で一致している。
「Ａ　始動条件の成立により判定情報を取得する判定情報取得手段と、
Ｂ　前記判定情報取得手段により取得された前記判定情報に基づいて、特別遊技を行うか否かを判定する特別遊技判定手段と、
Ｃ　前記特別遊技判定手段による判定結果に基づいて前記特別遊技が行われることを期待させる複数の期待演出の中からいずれかを実行し、前記判定結果を報知する結果報知演出を実行する前に、前記期待演出の信頼度を示唆する示唆演出を実行する演出制御手段と、
Ｄ　前記期待演出に対応付けられ、当該期待演出の信頼度を示す示唆情報を外部端末に出力する示唆情報出力制御手段とを備え、
Ｅ　前記示唆情報出力制御手段は、
　　前記期待演出が実行されているときに、実行中の当該期待演出に対応付けられて互いに異なる信頼度を示唆する複数の前記示唆情報の中からいずれかを出力可能であり、
Ｆ’前記示唆情報出力制御手段は、前記期待演出が実行されているとき、前記示唆情報の出力を実行し、前記演出制御手段は、前記示唆演出を実行する、遊技機。」
　そして、引用発明と本件補正発明とは、構成Ｆ’に関する次の点で相違している。
（相違点）
　本件補正発明は、前記期待演出が実行されているときの第１タイミングにおいて前記示唆情報の出力を開始し、第２タイミングまでに当該示唆情報の出力を終了し、前記第２タイミング以降の第３タイミングにおいて前記示唆演出を開始するのに対し、引用発明は、期待演出が実行されているときに示唆情報の出力及び示唆演出を実行するが、これらを実行するタイミングについては特定されていない点。
　上記相違点について検討する。
　引用発明の「第３特殊演出パターン」は、「示唆演出」（引用発明の「雪が降る演出」）と「示唆情報」（引用発明の「激アツ！」のテキスト情報を符号化した「二次元コード」）の表示を含むものであり、これらの表示されるタイミングについては特定されていないが、遊技者が個々の演出を視認し易くするため、それぞれの表示を行うタイミングをずらすことは、当業者であれば適宜なし得た単なる設計的事項にすぎない。
　なお、各種演出を個々にタイミングをずらして行うことは、例えば、特開２０１１−３６４８２号公報（【００６６】、【００６７】、図７参照）、特開２００９−９５４７０号公報（【請求項１】、【００４８】、【００５８】、図１１、図１２参照）及び特開２０１３−１２１４３６号公報（【０１９３】、図２５参照）に示されるように、遊技機の技術分野における技術常識である。
　そして、タイミングをずらす際に、「示唆情報」（二次元コード）は、演出内容が示す信頼度を知る機会を遊技者に与えることができるものであるから（上記（２）オの【００５９】参照）、「示唆演出」（雪が降る演出）の実行時に、その信頼度を遊技者が知ることができるように、「示唆情報」を「示唆演出」より先に表示することは、当業者であれば適宜選択し得たことであり、その場合に、演出表示装置６０の表示画面を広く使用するため、「示唆情報」が「示唆演出」の邪魔にならないように、「示唆演出」の実行の前に「示唆情報」を消去するようにすることは、当業者であれば、通常の創作能力を用いて、適宜なし得た単なる設計的事項にすぎない。
　したがって、引用発明において、前記期待演出が実行されているときの第１タイミングにおいて前記示唆情報の出力を開始し、また、当業者の通常の創作能力を用いて、第２タイミングまでに当該示唆情報の出力を終了し、前記第２タイミング以降の第３タイミングにおいて前記示唆演出を開始するようにして、上記相違点に係る本件補正発明の構成とすることは、当業者であれば容易に想到し得たことである。
　また、本件補正発明の効果は、引用発明から予測される範囲内のものにすぎず、格別なものではない。
（４）請求人の主張
　請求人は、審判請求書の「（３）（ｄ）本願発明と引用文献との対比」において、「引用文献１では、第１実施例において、例えば信頼度を示唆する演出内容の演出パターン（第３特殊演出パターン）として、信頼度が高いことを表示させる演出パターンには「激アツ！」のテキスト情報を符号化した二次元コードの表示が含められていることが記載されています（段落００５９等）。しかし、この第１実施例においては、二次元コードの表示が行われるタイミングは、信頼度が高いことを示唆する演出（例えば雪が降る演出；示唆演出に相当）の実行前ではなく、示唆演出が実行されているときであると考えられます。したがって、本願発明のように、示唆演出が開始される第３タイミングよりも前の第２タイミングにおいて示唆情報を出力することについて開示するものではありません。」と主張している。
　しかしながら、示唆情報の出力と示唆演出の実行のタイミングについては、上記（３）において相違点として検討したとおり、引用発明にもとづいて、当業者であれば容易に想到し得たことである。
（５）小括
　以上のとおり、本件補正発明は、当業者が刊行物１に記載された事項にもとづいて容易に発明をすることができたものであるから、特許法第２９条第２項の規定により、特許出願の際独立して特許を受けることができない。
　
４　むすび
　上記２及び３において検討したことからみて、本件補正は、特許法第１７条の２第５項又は同法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項１に係る発明（以下、「本願発明」という。）は、平成２７年６月１７日付け手続補正書の特許請求の範囲の請求項１に記載された事項により特定される次のとおりのものである（ただし、記号Ａ〜Ｅは分説するため当審にて付した。）。
「Ａ　始動条件の成立により判定情報を取得する判定情報取得手段と、
Ｂ　前記判定情報取得手段により取得された前記判定情報に基づいて、特別遊技を行うか否かを判定する特別遊技判定手段と、
Ｃ　前記特別遊技判定手段による判定結果に基づいて、当該判定結果を報知する結果報知演出を実行する前に、前記特別遊技が行われる可能性を示唆する示唆演出を実行する演出制御手段と、
Ｄ　前記示唆演出に関する示唆情報を外部端末に出力する示唆情報出力制御手段とを備え、
Ｅ　前記示唆情報出力制御手段は、
　　前記演出制御手段により前記示唆演出が開始されるよりも前に、前記示唆情報の出力を開始し、当該示唆演出が開始されるまでに当該示唆情報の出力を終了する、
　遊技機。」
　
２　刊行物
　原査定の拒絶の理由において提示された刊行物１には、上記第２　３（２）のア〜カの記載事項及びキ、クの認定事項から、次の発明（以下、「引用発明２」という。）が記載されていると認められる（記号ａ〜ｅは本願発明の記号Ａ〜Ｅに対応させて付した。）。
「ａ　始動口６２への遊技球の入球を契機として、通常遊技より遊技者に有利な状態である特別遊技へ移行するか否かを判定するために乱数の値を当否抽選値として取得する当否抽選手段１１２と、（【００３２】）
ｂ　当否抽選値を利用して、当否抽選の結果が当たりか否かを判定する演出決定手段１３２と、（【００５４】）
ｃ　演出決定手段１３２による当否抽選の判定結果に基づいて、取得した演出決定抽選値が所定範囲内の値か否かを判定することにより、第１特殊演出パターンを選択する演出決定手段１３２、及び選択された演出パターンにしたがった演出内容を演出表示装置に表示させ、第１特殊演出パターンでは、当否抽選の結果を示す当否演出を表示すると共に、雪が降る演出内容を表示し、雪が降る演出が表示されたのを見たときに、装飾図柄１９０の変動停止を待つことなく当否抽選の結果が当たりであることを知ることができる演出表示制御手段と、（【０００５】、【０００９】、【００５６】、認定事項キ）
ｄ　「雪を降らせろ！」というミッションを符号化した二次元コードを表示させる場合、装飾図柄１９０の上方に、二次元コードを撮像し復号処理を実施可能な携帯電話などの撮像手段により撮像可能な態様で、二次元コードを演出表示装置６０に表示させる演出表示制御手段１３４とを備え、（【００４４】、【００５６】）
ｅ　演出表示装置６０に、「雪を降らせろ！」というミッションを符号化した二次元コードを表示させた後、雪が降る演出内容も表示させる（【００５６】）
　遊技機。」
３　対比・判断
　本願発明と引用発明２とを対比する。
（ａ）引用発明２の「始動口６２への遊技球の入球」、「当否抽選値」は、本願発明の「始動条件の成立」、「判定情報」にそれぞれ相当する。
　したがって、引用発明２の「始動口６２への遊技球の入球を契機として、通常遊技より遊技者に有利な状態である特別遊技へ移行するか否かを判定するために乱数の値を当否抽選値として取得する当否抽選手段１１２」は、本願発明の「始動条件の成立により判定情報を取得する判定情報取得手段」に相当する。
（ｂ）引用発明の「当否抽選値」は、「通常遊技より遊技者に有利な状態である特別遊技へ移行するか否かを判定するため」の「乱数の値」である（引用発明２の構成ａ参照）。
　したがって、引用発明２の「当否抽選値を利用して、当否抽選の結果が当たりか否かを判定する演出決定手段１３２」は、本願発明の「前記判定情報取得手段により取得された前記判定情報に基づいて、特別遊技を行うか否かを判定する特別遊技判定手段」の機能を備えているといえる。
（ｃ）上記（ｂ）より、引用発明２の「演出決定手段１３２」は、本願発明の「特別遊技判定手段」の機能を備えているので、引用発明の「演出決定手段１３２による当否抽選の判定結果に基づいて」は、本願発明の「前記特別遊技判定手段による判定結果に基づいて」に相当する。
　次に、引用発明２の「当否演出」は、本願発明の「結果報知演出」に相当することは明らかである。
　また、引用発明２の「雪が降る演出」は、「雪が降る演出が表示されたのを見たときに、装飾図柄１９０の変動停止を待つことなく当否抽選の結果が当たりであることを知ることができ」るので、本願発明の特別演出が行われる可能性（可能性が１００％であること）を示唆する「示唆演出」に相当するといえる。
　ここで、引用発明２において、「当否演出」は、当否抽選の結果を表すのであるから、この実行の前に、信頼度を示唆する「雪が降る演出」が行われることは明らかである。
　さらに、引用発明２では、「演出決定手段１３２」が選択した演出パターンにしたがった演出内容を「演出表示制御手段」が演出表示装置に表示するので、「演出決定手段１３２」及び「演出表示制御手段」が、本願発明の「演出制御手段」に相当するといえる。
　したがって、引用発明２の「演出決定手段１３２による当否抽選の判定結果に基づいて、取得した演出決定抽選値が所定範囲内の値か否かを判定することにより、第１特殊演出パターンを選択する演出決定手段１３２、及び選択された演出パターンにしたがった演出内容を演出表示装置に表示させ、第１特殊演出パターンでは、当否抽選の結果を示す当否演出を表示すると共に、雪が降る演出内容を表示し、雪が降る演出が表示されたのを見たときに、装飾図柄１９０の変動停止を待つことなく当否抽選の結果が当たりであることを知ることができる演出表示制御手段」は、本願発明の「前記特別遊技判定手段による判定結果に基づいて、当該判定結果を報知する結果報知演出を実行する前に、前記特別遊技が行われる可能性を示唆する示唆演出を実行する演出制御手段」に相当する。
（ｄ）引用発明２の「「雪を降らせろ！」というミッションを符号化した」「二次元コード」は、「雪が降る演出」に関するものであることは明らかなので、本願発明の「示唆演出に関する」「示唆情報」に相当する。
　また、引用発明２の当該「二次元コード」を「携帯電話などの撮像手段により撮像可能な態様で」「演出表示装置６０に表示させる」ことは、本願発明の「示唆情報を外部端末に出力する」ことに相当する。
　したがって、引用発明２の「「雪を降らせろ！」というミッションを符号化した二次元コードを表示させる場合、装飾図柄１９０の上方に、二次元コードを撮像し復号処理を実施可能な携帯電話などの撮像手段により撮像可能な態様で、二次元コードを演出表示装置６０に表示させる演出表示制御手段１３４」は、本願発明の「前記示唆演出に関する示唆情報を外部端末に出力する示唆情報出力制御手段」に相当する。
（ｅ）引用発明２では、「「雪を降らせろ！」というミッションを符号化した二次元コード」を表示させた後、「雪が降る演出」が表示される。また、これらの表示が「演出表示制御手段１３４」により実行されることは、引用発明２の構成ｃ、ｄより明らかである。
　したがって、引用発明２の「演出表示装置６０に、「雪を降らせろ！」というミッションを符号化した二次元コードを表示させた後、雪が降る演出内容も表示させる」ことは、本願発明の「前記示唆情報出力制御手段は、前記演出制御手段により前記示唆演出が開始されるよりも前に、前記示唆情報の出力を開始し、当該示唆演出が開始されるまでに当該示唆情報の出力を終了する」ことと、「前記示唆情報出力制御手段は、前記演出制御手段により前記示唆演出が開始されるよりも前に、前記示唆情報の出力を開始」する点で共通している。
　以上より、本願発明と引用発明２とは、次の点で一致している。
「Ａ　始動条件の成立により判定情報を取得する判定情報取得手段と、
Ｂ　前記判定情報取得手段により取得された前記判定情報に基づいて、特別遊技を行うか否かを判定する特別遊技判定手段と、
Ｃ　前記特別遊技判定手段による判定結果に基づいて、当該判定結果を報知する結果報知演出を実行する前に、前記特別遊技が行われる可能性を示唆する示唆演出を実行する演出制御手段と、
Ｄ　前記示唆演出に関する示唆情報を外部端末に出力する示唆情報出力制御手段とを備え、
Ｅ’前記示唆情報出力制御手段は、
　　前記演出制御手段により前記示唆演出が開始されるよりも前に、前記示唆情報の出力を開始する、
　遊技機。」
　そして、本願発明と引用発明２は、Ｅ’に関する次の点で相違している。
　
（相違点）
　本願発明は、示唆演出が開始されるまでに示唆情報の出力を終了するのに対し、引用発明２は、示唆演出が開始されるよりも前に、示唆情報の出力を開始するが、示唆情報の出力を終了するタイミングは特定されていない点。
　上記相違点について検討する。
　上記第２　３（３）の（相違点）において検討したとおり、示唆情報が示唆演出の邪魔にならないように、示唆演出の実行の前に示唆情報を消去することは、当業者の通常の創作能力の範囲内のことであり、引用発明２において、示唆演出が開始されるまでに示唆情報の出力を終了するようにして、上記相違点２に係る本願発明の構成とすることは、当業者であれば適宜なし得た単なる設計的事項である。
　したがって、本願発明は、原査定の拒絶の理由において提示された刊行物１に記載された事項にもとづいて、当業者が容易に発明をすることができたものである。
　
４　むすび
　以上のとおりであるから、本願発明は、特許法第２９条第２項の規定により特許を受けることができない。
　したがって、本願は、拒絶されるべきものである。
　
　よって、結論のとおり審決する。